(57)【要約】【課題】手指などへの誤っての刺針を防ぎ、皮膚に対する刺激が少なく、一般の人にも簡単に使用でき、且つ鍼師には東洋医学理論を考慮した鍼治療が容易な貼付式鍼を提供することを課題とする。【解決手段】  以上の課題を解決するために、鍼形状は、鍼棒を鍼棒から一体に続く鍼体で囲み鍼棒を突出させないことを特徴とする鍼であって、上記鍼を粘着テープに固定し台紙を用いて一体のものとして、さらに粘着テープに鍼棒の向きを示す印を有す鍼接触式の貼付式鍼とする。【選択図】図１
2008295983.tif 000002
【特許請求の範囲】
【請求項１】
鍼棒１１を鍼棒１１から一体に続く鍼体１２で囲むことを特徴とする鍼１０であって、上記鍼１０を片側に粘着面を有する粘着テープ２０の粘着面２１に粘着させ、剥離可能な台紙３０に上記鍼１０を挟んで、粘着面２１で粘着させ一体とした鍼接触式の貼付式鍼。
【請求項２】
前記鍼１０の鍼棒１１と粘着テープ２０の間に薄体４０を有することを特徴とする請求項１に記載の貼付式鍼。
【請求項３】
前記粘着テープ２０の粘着のない面側２２に鍼棒１１の向きを示す印５０があることを特徴とする請求項１又は２記載の貼付式鍼。
【発明の詳細な説明】
【技術分野】
【０００１】  この発明は、鍼治療に用いる貼付式鍼の形態に関する。
【技術背景】
【０００２】  従来、貼付式鍼には、鍼棒状の部分を皮膚内に刺入し粘着テープで留める円皮鍼、皮内鍼がある。又、金属、プラスチック、セラミック等の粒体を粘着テープで皮膚上に留める粒鍼がある。
【０００３】  それぞれの形態について述べる。円皮鍼の形状は画鋲状になっており、画鋲状の鍼棒を皮膚内に垂直に刺入し粘着テープを貼り固定する。皮内鍼は鍼棒状になっており、鍼棒の先を皮膚内に水平に数ミリ刺入して粘着テープで固定する。粒鍼は直径１〜２ｍｍの粒状物を粘着テープで皮膚上に固定する。
【０００４】  ところで、一般の鍼（豪鍼）の手技には、鍼棒を刺入する単刺法、捻鍼法、雀啄法、置鍼法、間歇法、振顫法と、鍼棒を刺入しない皮膚鍼法がある。皮膚鍼法は鍼棒先で皮膚に接触刺激を与える方法で、主に小児の刺鍼法として用いられるが、軽い刺激を行なうのに最もよい方法とされている。
2008295983.tif 000003
どがある。
【発明の開示】
【発明が解決しようとする課題】
【０００５】  しかしながら、以上の技術によれば、円皮鍼、皮内鍼の場合、鍼施術時に誤って術者の指への刺針、鍼廃棄時の誤っての刺針、入浴着替え時等の自然脱落鍼による誤っての刺針の可能性がある。この際、血液による感染症の心配もある。粒鍼は圧刺激による効果を期待するもので、粒状物の皮膚に対する圧力が大きく皮膚を傷つけることがある。【０００６】  また、気の流れを考慮する東洋医学においては、鍼棒の向きも重要な治療要素の一つとなるが、従来の貼付式鍼において鍼棒の向きを考慮できるのは皮内鍼のみである。しかしながら、皮内鍼の使用において、鍼棒の向きは皮膚の伸縮方向を優先して考慮しなければなず、鍼棒を任意の向きにすにるは制限があった。【０００７】  そこで、この発明は誤った刺針を予防し、血液による感染症の心配がない出血を伴わない、皮膚に対する圧力の小さい貼付式鍼であって、一般の人にも簡便に使用でき、且つ鍼師には、東洋医学理論に基づく鍼治療が容易な貼付式鍼を提供することを課題とする。
【課題を解決するための手段】
【０００８】  以上の課題を解決するために、第一発明は、鍼棒１１を鍼棒１１から一体に続く鍼体１２で囲むことを特徴とする鍼１０であって、これを一側に粘着面を有する粘着テープ２０の粘着面２１に粘着せ、剥離可能な台紙３０に上記鍼１０を挟んで、粘着面２１で粘着させ一体とした鍼接触式の貼付式鍼である。
第二発明は、前記鍼１０の鍼棒１１と粘着テープ２０の間に薄体４０を有することを特徴とする貼付式鍼である。
第三発明は、粘着テープ２０の粘着のない面側２２に鍼棒１１の向きを示す印５０があることを特徴とする第１発明又は第２発明の貼付式鍼である。
【発明の効果】
【０００９】  第一発明によれば、鍼棒１１を鍼棒１１から一体に続く鍼体１２で囲むことにより鍼棒１１が突出しないので、誤っての手指への刺針、使用後の鍼廃棄時に誤っての刺針、入浴着替え時の自然脱落鍼による誤っての刺針がなく、接触鍼とすることで、皮膚に対する圧力は小さく、皮膚を傷付けることがない。台紙より剥離して任意の部位に貼付すればよいので、一般の人にも簡便に使用できる。【００１０】  第二発明によれば前記鍼１０の鍼棒１１と粘着テープ２０の間に薄体４０を有することにより鍼棒１１が粘着面２１に貼り付くことを防ぎ皮膚との接触度を一定に保つことが出来る。【００１１】  第三発明によれば、第一発明の接触式の鍼形状から鍼棒１１の向きに皮膚の伸縮方向を考慮する必要がなく鍼棒１１を任意の向き皮膚に貼付できること、と併せて前記粘着テープ２０の粘着のない面２２に鍼棒１１の向き５０を印すことにより、科学的な証明になされていないが、東洋医学の気の流れを考慮する鍼師には、気の流れを考慮した東洋医学的考察による鍼治療が容易となる。
【発明を実施するための最良の形態】
【００１２】  以下、添付した図面に基づき本発明の望ましい実施例を詳細に説明する。
本例の貼付式鍼は、鍼１０と粘着テープ２０及び台紙３０より構成される。ただし、図１、図２では台紙は図示されていない。【００１３】  図１、図２において鍼１０は直径０．１ｍｍから０．２ｍｍのステンレスなどの金属線からなる。鍼棒１１の長さは約４ｍｍ、鍼棒１１から一体に続く鍼体１２で直径約６ｍｍのリング状に囲まれる。鍼１０を直径約１．３ｍｍの布製等の粘着テープ２０の粘着面側２１の中央に粘着固定させ、さらに図６の粘着テープの粘着の無い面２２に鍼棒の向きを印５０で示す。これを図３のように剥離可能な台紙３０に鍼１０を挟んで粘着面２１で粘着固定し一体のものとする。使用時に台紙より剥離し皮膚上のツボに貼付する。【００１４】「実施形態の効果」
鍼棒１１から一体に続く鍼体１２で囲むことにより、鍼棒１１が突出しないので、誤っての手指への刺針、使用後の鍼廃棄時に誤っての刺針、入浴着替え時等の自然脱落鍼による誤っての刺針がなく、接触鍼とすることで皮膚に圧力が加わらないため皮膚を傷付けることもない。【００１５】  台紙３０より剥離して必要な部位に貼付すれば良く、鍼棒１１は皮膚に接触するのみで皮内に刺入されないので、一般の人にも簡便に使用できる。【００１６】  その上、鍼棒１１には方向があり、貼付時に皮膚の伸縮方向は考慮する必要が無く、鍼棒１１を皮膚上に任意の向きに貼付でき、合せて粘着テープ上２２に鍼棒１１の向きを示す印５０をつける事で、科学的な証明はなされていないが、東洋医学の気の流れを考慮する鍼師には、気の流れを考慮した東洋医学的考察による鍼治療が容易となる。【００１７】「他の実施形態」
図５は、他の実施形態で、鍼棒１１と粘着テープ２０との間に紙などの薄体を挟んだもので、鍼棒１１が粘着テープの粘着面２１に貼り付くことを防ぎ皮膚との接触度を一定に保つことが出来る。
【図面の簡単な説明】
【００１８】
【図１】本発明の斜視図である。台紙は図示されていない。
【図２】本発明の鍼を粘着テープに固定した平面図である。台紙は図示されていない。
【図３】本発明の分解側面図である。
【図４】他の実施例、鍼を粘着テープに固定した平面図である。台紙は図示されていない。
【図５】他の実施例、分解側面図である。
【図６】粘着テープの粘着面の無い面からの平面図である。
【符号の説明】
【００１９】１０鍼
１１鍼棒
１２鍼体
２０粘着テープ
２１粘着テープ粘着面
２２粘着テープ粘着の無い面
３０台紙
４０薄体
５０矢印
【図１】
2008295983.tif 000004
【図２】
2008295983.tif 000005
【図３】
2008295983.tif 000006
【図４】
2008295983.tif 000007
【図５】
2008295983.tif 000008
【図６】
2008295983.tif 000009